(57)【要約】      （修正有）【課題】軽量で安定性があり、安価に製作できる折畳式収納箱を提供する。【解決手段】折畳式収納箱は、底部２０１と底部２０１と連続した折畳み可能な側壁部と側壁部を支えるための骨部２０４、２０５とを備える。骨部２０４、２０５は、それぞれが上面に含まれる直線を中心に回動して、組み立てた状態で側壁部を支える第１、第２骨部を含み、第１、第２骨部は、それぞれ、組み立てた状態で底部２０１と接する箇所またはその近傍に、指を掛けるための湾曲部を有している。【選択図】図２
0003199014.tif 000002
【実用新案登録請求の範囲】
【請求項１】
底部と、
前記底部と連続した折り畳み可能な側壁部と、
前記側壁部を支えるための骨部と、
を備えた折畳式収納箱であって、
前記骨部は、
それぞれが、折畳式収納箱の上面に含まれる直線を中心に回動して、組み立てた状態で前記側壁部を支える第１、第２骨部を含み、
前記第１、第２骨部は、それぞれ、組み立てた状態で前記底部と接する箇所またはその近傍に、指を掛けるための湾曲部を有する折畳式収納箱。
【請求項２】
前記上面の形状を保持する上部枠をさらに備え、
前記第１、第２骨部は、前記上部枠に固定された回動軸部材を中心に回動する、請求項１に記載の折畳式収納箱。
【請求項３】
前記折畳式収納箱の上面に含まれる直線を中心に回動して、組み立てた状態で前記底部と接する第３骨部をさらに有することを特徴とする請求項１または２に記載の折畳式収納箱。
【請求項４】
前記底部の形状が円形、三角形または六角形であることを特徴とする請求項１または２に記載の折畳式収納箱。
【請求項５】
前記上面が傾斜していることを特徴とする請求項１乃至４のいずれか１項に記載の折畳式収納箱。
【請求項６】
閉塞可能な開口が前記上面に形成されている、請求項１乃至５のいずれか１項に記載の折畳式収納箱。
【請求項７】
閉塞可能な開口が前記側壁部の少なくとも一側面に形成されている、請求項１乃至６のいずれか１項に記載の折畳式収納箱。
【考案の詳細な説明】
【技術分野】
【０００１】
本考案は、折畳式収納箱に関する。
【背景技術】
【０００２】
上記技術分野において、特許文献１には、不使用時にはコンパクトな折畳形態に折畳むことができる折畳式収納箱が記載されている。特許文献２には、空の状態で保管または回送する場合に扁平状に容易に折畳むことができる通い箱が記載されている。特許文献３には、折畳み自在の形状保持体の外面を着脱自在の可撓性の被覆体が覆う折畳式収納箱が記載されている。
【先行技術文献】
【特許文献】
【０００３】
【特許文献１】特開２００６−１５１４９６号公報
【特許文献２】実用新案登録第３０１６８２８号公報
【特許文献３】特開２００６−２１９１５５号公報
【考案の概要】
【考案が解決しようとする課題】
【０００４】
しかしながら特許文献１の折畳式収納箱の場合、４つの側壁部が剛性のある板である必要がある。特許文献２の通い箱の場合も、側壁部に剛性のある両妻板と両側板を必要としている。また折畳機構が複雑で安価では製作できないとともに箱が重くなる。特許文献３の折畳式収納箱では、針金で形成した形状保持体をどのように組み立て折畳むか明確に記載されていない。
【０００５】
本考案の目的は、上述の課題を解決する技術を提供することにある。
【課題を解決するための手段】
【０００６】
上記目的を達成するために、本考案に係る折畳式収納箱は、
底部と、
前記底部と連続した折り畳み可能な側壁部と、
前記側壁部を支えるための骨部と、
を備えた折畳式収納箱であって、
前記骨部は、
それぞれが、折畳式収納箱の上面に含まれる直線を中心に回動して、組み立てた状態で前記側壁部を支える第１、第２骨部を含み、
前記第１、第２骨部は、それぞれ、組み立てた状態で前記底部と接する箇所またはその近傍に、指を掛けるための湾曲部を有する。
【考案の効果】
【０００７】
本考案によれば、軽量の折畳式収納箱を安価に製作できかつ容易に組み立て分解できる。
【図面の簡単な説明】
【０００８】
【図１】第１実施形態の折畳式収納箱の概観図である。
【図２】第１実施形態の形状保持体を説明する図である。
【図３】第１実施形態の骨部を説明する図である。
【図４】第１実施形態の骨部が上部矩形枠の直線枠に回動可能に保持される構成を説明する図である。
【図５】第１実施形態の骨部を変形した骨部を説明するための図である。
【図６】第１実施形態の折畳式収納箱を折畳んだ図である。
【図７】第１実施形態の折畳式収納箱を組立中の図である。
【図８】第１実施形態の折畳式収納箱を組立てた後の図である。
【図９】第２実施形態における折畳式収納箱を組立てた後の図である。
【図１０】第２実施形態の骨部が上部矩形枠の直線枠に回動可能に保持される構成を説明する図である。
【図１１】第３実施形態の形状保持体を説明する図である。
【図１２】第３実施形態の直線枠に回動可能に保持された骨部を説明する図である。
【図１３】第４実施形態の形状保持体を説明する図である。
【図１４】第５実施形態の形状保持体を説明する図である。
【図１５】第６実施形態の形状保持体を説明する図である。
【考案を実施するための形態】
【０００９】
以下に、本考案を実施するための形態について、図面を参照して、例示的に詳しく説明する。ただし、以下の実施の形態に記載されている、構成、数値、処理の流れ、および機能要素などは一例に過ぎず、その変形や変更は自由であって、本考案の技術範囲を以下の記載に限定する趣旨のものではない。
【００１０】
［第１実施形態］
図１は第１実施形態の折畳式収納箱１００の組立て後の概観図である。図１において、折畳式収納箱１００の上面は可撓性材料からなる上面カバー１０１で覆われ、折畳式収納箱１００の側壁部は可撓性材料からなる側壁部カバー１０２で覆われている。また折畳式収納箱１００の底部は剛性のある部材で形成されている。折畳式収納箱１００の底部の周囲は側壁部カバー１０２の下端と連続している。折畳式収納箱１００の上面にはファスナー１０３で開閉できる上面開口１０５が形成され、前面の側壁部カバー１０２には、ファスナー１０４で開閉できる正面開口１０６が形成されている。
【００１１】
また、折畳式収納箱１００は、その形状を保持するための機能を受け持つ形状保持体を備えている。
【００１２】
図２は形状保持体２００を説明する図である。点線で示す部分が底部２０１である。
【００１３】
形状保持体２００は、上部矩形枠２０２と４つの同形の金属製パイプ２０３と骨部２０４、２０５とを備える。図２では、折畳式収納箱１００の形状保持のため、骨部２０４、２０５は、折畳式収納箱１００の上部矩形枠２０２および底部２０１に対して垂直になるように配置されている。
【００１４】
本実施形態では、上部矩形枠２０２は主に上面の形状保持を受け持ち、骨部２０４、２０５は上部矩形枠２０２を支えるとともに側壁部の形状保持を受け持つ。剛性のある底部２０１は骨部２０４、２０５の土台として機能する。
【００１５】
上部矩形枠２０２は金属製の丸棒を矩形状に変形して一体になるように形成されている。丸棒の直径は例えば３ミリメートル程度であるが、折畳式収納箱１００の大きさおよび必要な強度により丸棒の太さは適宜変えられる。
【００１６】
４つの金属製パイプ２０３は骨部２０４、２０５を回動可能に装着するための部品である。上部矩形枠２０２の互いに平行する左右２つの直線枠２０６、２０７の端部の下部にはそれぞれ２つの金属製パイプ２０３が固定されている。パイプ穴は、骨部２０４、２０５を２つの金属製パイプ２０３に回動可能に装着保持するための挿入穴として使用される。
【００１７】
金属製パイプ２０３の穴径は、以下に説明する骨部２０４、２０５の両端部を構成する軸骨部がパイプ穴に挿入されて回動できるように設定される。
【００１８】
図３は本実施形態の骨部２０４を説明する図である。なお、骨部２０４と骨部２０５は基本的に同じであるので、以下では骨部２０４を説明し、骨部２０５についての説明は省略する。
【００１９】
図３において、骨部２０４は金属の丸棒で一体形成され、２つの軸骨部３０１と２つの側壁骨部３０２と下部骨部３０３とを有する。
【００２０】
２つの軸骨部３０１は互いに突き合う態様の水平部位にあるように形成されている。骨部２０４は、２つの軸骨部３０１を直線枠２０６に固定した金属製パイプ２０３の外側から挟み込むように挿入することにより金属製パイプ２０３により回動可能に保持される。
【００２１】
軸骨部３０１の長さをあまり大きくすると、挿入時の骨部２０４の変形が弾性限界を超えてしまうので、軸骨部３０１の長さは弾性限界を超えない程度に設定される必要がある。通常、軸骨部３０１の長さは金属製パイプ２０３の長さ程度でよい。例えば金属製パイプ２０３の長さが１センチメートルの場合は、軸骨部３０１の長さも１センチメートルとする。
【００２２】
２つの軸骨部３０１から直角に下方に曲がる２つの側壁骨部３０２は互いに平行になるように形成してある。側壁骨部３０２は上記したように側壁部の形状保持を受け持つとともに上部矩形枠２０２を支えるための支柱として機能する。
【００２３】
２つの側壁骨部３０２を互いに平行にする理由は、支柱を垂直に配置することにより支柱としての強度を最大に高めるためである。なお、側壁骨部３０２の長さは折畳式収納箱１００の高さおよび横幅に基づき適宜設定できる。
【００２４】
下部骨部３０３は、２つの側壁骨部３０２の下端と接続する水平部であり、内側上方に向かって手指が容易に掛かる程度に湾曲する２つの湾曲部３３１を有している。
【００２５】
骨部２０４に２つの湾曲部３３１を形成しておくと、湾曲部３３１に両手または片方の手指を掛け、骨部２０４を容易に確実に回動することができる。なお図３では下部骨部３０３に２つの湾曲部を有しているが、場合により例えば下部骨部３０３の中央に１つの湾曲部を形成してもよい。
【００２６】
図４は、骨部２０４が上部矩形枠２０２の直線枠２０６に回動可能に保持される構成を説明する図である。
【００２７】
図４において、骨部２０４の軸骨部３０１は直線枠２０６の下端に固定した金属製パイプ２０３の穴に挿入されて回動可能に保持される。これにより、骨部２０４は金属製パイプ２０３の中心軸回りを回動できる。すなわち下部骨部３０３は矢印方向に移動可能である。折畳式収納箱１００に比べて金属製パイプ２０３の径は小さいので、以下では誤解のないかぎり、便宜、上骨部２０４は上部矩形枠２０２の直線枠２０６を軸として回動可能に保持されるということにする。骨部２０５についても同様である。
【００２８】
骨部２０４において、軸骨部を互いに反対方向に向き合うようにすることもできる。
【００２９】
図５は本実施形態の骨部２０４、２０５を変形した骨部５００の構成を説明するための図である。図５の骨部５００において、図３の骨部２０４と異なるのは、２つの軸骨部５０１が互いに外側方向に向いていることである。このような構成の骨部５０１の場合も、上部矩形枠２０２に固定した金属製パイプ２０３の穴に軸骨部を挿入して回動可能にすることができる。骨部５００の場合は、軸骨部５０１を金属製パイプ２０３の内側から押し広げるように挿入する。なお骨部２０５に対応する骨部は骨部５００と全く同じ構造であるので説明を省略する。
【００３０】
図３の骨部２０４と図５の骨部５００との機能的差異は以下のとおりである。図３の骨部２０４を適用した場合、側壁骨部３０２の上端を上部矩形枠２０２の２つの角部に配置できる。このため、折畳式収納箱１００の組立後、上部矩形枠２０２と底部２０１に対して垂直に配置した側壁骨部３０２は折畳式収納箱１００の２つの角部の位置で支柱の機能を持つことができる。これにより可撓性部材で覆われた側壁部の形状保持機能を高めることができる。また上部矩形枠２０２の角部に存在する可撓性部材が、金属製パイプ２０３に挿入した軸骨部３０１の水平方向への移動を妨げる。これにより軸骨部３０１が外れにくくなるので形状保持体として高い信頼性が得られる。
【００３１】
一方、図５の骨部５００を適用した場合、図３の骨部２０４より側壁部の形状保持機能は劣る。しかし、挿入箇所が上部矩形枠２０２の角部から離れた位置にあるので、軸骨部５０１の金属製パイプへの挿入および取外しが容易になるという利点がある。
【００３２】
以上の機能的差異を考慮して、図３の構造の骨部２０４と図５の構造の骨部５００を目的に応じて適宜選択できる。
【００３３】
なお上部矩形枠２０２は必ずしも丸棒で構成しなくてもよい。例えば四角形や六角形の棒あるいはパイプ形状の部材を使用することができる。材質も例えばプラスチックとしてもよい。この場合は成型が容易になる利点がある。
【００３４】
骨部２０４、２０５を回動可能に保持するパイプの材質は必ずしも金属でなくてもよい。例えばプラスチックパイプを使用することも可能である。上部矩形枠２０２とパイプを固定する方法は材質により溶接法や接着剤を用いた方法など適宜選択できる。骨部２０４、２０５も金属製の棒でなくてよい。例えばプラスチックで骨部２０４、２０５を形成してもよい。
【００３５】
折畳式収納箱１００では矩形状の底部２０１の周囲と側壁部カバー１０２の下端とを接続しているが、意匠を考慮して底部２０１の下面までカバーを延長して底面全体を覆うこともできる。この場合は底部２０１を必ずしも可撓性部材のカバーに接続して固定する必要はない。すなわち可撓性部材で構成した四角形のカバーの内側底面（以下では底面カバーという）の上に底部２０１を単に置いてもよい。これにより全面を同じ可撓性部材で覆うことができるので、折畳式収納箱１００の見栄えがよくなりかつ折畳式収納箱１００を容易に製作できる。この構成でも安定した形状保持体が得られる。
【００３６】
次に図６乃至図８を用いて本実施形態の折畳式収納箱１００の組立方法を説明する。図６は本実施形態の折畳式収納箱１００を折畳んだ図である。図６において、上面開口１０５は開口した状態である。開口から上面カバー１０１により固定された見えない上部矩形枠に回動可能に装着した骨部２０４、２０５と底部２０１とが見えている。骨部２０４、２０５は折畳式収納箱の内部で折畳まれた状態になっている。側壁部カバー１０２は、上面で上面カバー１０１に接続され、底面で底部２０１周囲に接続された筒状であり、蛇腹態様となっており上下に伸縮可能である。
【００３７】
図７は組立中の折畳式収納箱１００を示す図である。図７において、上面開口１０５は開口した状態である。折畳式収納箱１００の組立において、上面カバー１０１により固定された見えない上部矩形枠を持ち上げて、蛇腹態様の側壁部カバー１０２を上方に伸び切りさせる。そして上部矩形枠の直線枠に保持した骨部２０４、２０５を図の矢印方向にそれぞれ回動する。
【００３８】
ここで骨部２０４、２０５の側壁骨部３０２の長さについて説明しておく。回動により上部矩形枠２０２および底部２０１に対して側壁骨部３０２が垂直に配置された状態で、下部骨部３０３と底部２０１との接触摩擦（静止摩擦力）が最大になり下部骨部３０３が底部２０１に強固に固定されるようにする。そのため接触摩擦を考慮してあらかじめ側壁骨部３０２の長さを最適化しておく。このため、側壁骨部３０２の長さは折畳式収納箱１００の横幅より小さい。もし側壁骨部３０２の長さが折畳式収納箱１００の横幅より大きいと骨部２０４、２０５は自由に回動できなくなる。
【００３９】
以上のように、骨部２０４、２０５の回動中に、下部骨部３０３と底部２０１が接触し始め、その後接触摩擦は次第に増加する。本実施形態によれば、そのような接触摩擦に抗して下部骨部３０３に形成した２つの湾曲部３３１に両手または片方の手指を掛けて骨部２０４、２０５を容易に回動でき、下部骨部３０３を確実に所定の位置に移動させることができる。
【００４０】
図８は組立てた後の折畳式収納箱１００を示す図である。図８において、上面開口１０５は開口した状態である。上面開口１０５からみえる骨部２０４の側壁骨部３０２は、側壁部カバー１０２の内面に接触して側壁部の形状保持を行っている。また下部骨部３０３は底部２０１と強い静止摩擦力で固定されているので、骨部２０４が回動してずれることがない。このため組立後の折畳式収納箱１００は安定した形状保持を続けることができる。
【００４１】
底部２０１が側壁部カバー１０２に接続した底面カバーの上に単に置いても安定した形状保持体２００が得られると前述した。その理由は、骨部２０４、２０５の２つの下部骨部が底部２０１を下側に押し付けるので底部２０１は安定して底面に保持されるからである。
【００４２】
上面開口１０５は、箱の上部から物を出し入れする場合に使用する。上面開口１０５を開けて何が収納されているか容易に確認できる。正面開口１０６は折畳式収納箱１００の正面から物を出し入れする場合に使用する。正面開口１０６を開けて何が収納されているか容易に確認できる。
【００４３】
本実施形態の折畳式収納箱１００は安定した形状保持機能があるため積み重ねて使用することができる。その場合、正面開口１０６が設けてあると、上段の折畳式収納箱１００を取り除くことなく必要に応じて下段の折畳式収納箱１００の正面から物を出し入れできるので便利である。また上段の折畳式収納箱１００を取り除くことなく下段の折畳式収納箱１００に何が入っているか容易に確認できる。
【００４４】
［第２実施形態］
次に本考案の第２実施形態に係る折畳式収納箱について、図９および図１０を用いて説明する。本実施形態に係る折畳式収納箱９００は、上記第１実施形態と比べると、第１実施形態の形状保持体に骨部９０１を付加した点で異なる。その他の構成及び動作は、第１実施形態と同様であるため、同じ構成及び動作については同じ符号を付してその詳しい説明を省略する。
【００４５】
図９はの組立てた後の折畳式収納箱９００を示す図である。図９において、折畳式収納箱９００は、図には見えない上部矩形枠の裏側の直線枠に対して回動可能な骨部９０１を備えている。
【００４６】
図１０は、骨部９０１が上部矩形枠の裏側の直線枠に対して回動可能に保持される構成を説明する図である。骨部９０１は、２つの軸骨部９０２と２つの側壁骨部９０３と下部骨部９０４とで構成される。
【００４７】
側壁骨部９０３は、互いに平行でなく両者の間の距離が図の下方に向かうにつれ小さくなるように構成されている。下部骨部９０４の中央には１つの湾曲部９０５が形成されている。
【００４８】
上部矩形枠の裏側の直線枠９０６には２つの金属製パイプ９０７が固定されており、軸骨部９０２は金属製パイプ９０７に回動可能に挿入される。
【００４９】
骨部９０１は上部矩形枠の裏側の直線枠９０６の中間部に保持されている。その理由は直線枠９０６の中央部を支えるためである。なお骨部２０４のように側壁骨部９０３を平行に形成して直線枠９０６を支える支柱としての機能をさらに高めてもよい。
【００５０】
折畳式収納箱の組み立て分解における骨部９０１の動作手順は、基本的に第１実施形態で説明した骨部２０４の動作手順から容易に類推できるのでその説明を省略する。
【００５１】
本実施形態によれば、骨部９０１を設けることにより形状保持体の上下方向の強度が増すので、第１実施形態に比べさらに安定性の高い折畳式収納箱９００が得られる。また形状保持体の上下方向の強度が増すので、第１実施形態に比べて折畳式収納箱９００をより多く安定して積み重ねることができる。
【００５２】
折畳式収納箱９００を何段も積み重ねる場合、折畳式収納箱９００の正面に開口があると必要に応じて正面から物を出し入れできるので便利である。また上段の折畳式収納箱９００を取り除くことなく下段の折畳式収納箱９００に何が入っているか容易に確認できる。
【００５３】
［第３実施形態］
次に本考案の第３実施形態に係る折畳式収納箱について、図１１および図１２を用いて説明する。本実施形態に係る折畳式収納箱は、上記第１実施形態と比べると、形状保持体の形を三角柱にした点で異なる。その他の構成及び動作は、第１実施形態と同様であるため、同じ構成及び動作については同じ符号を付してその詳しい説明を省略する。
【００５４】
図１１は本実施形態の形状保持体１１００を説明する図である。図１１において、形状保持体１１００の上部三角枠１１０１の２つの直線枠１１０２、１１０３にはそれぞれ骨部１１０４、１１０５が回動可能に装着されている。点線で示した部分が本実施形態の折畳式収納箱の外形である。
【００５５】
図１２は、直線枠１１０２に回動可能に保持された骨部１１０４を説明する図である。骨部１１０５は基本的に骨部１１０４と同様であるので説明は省略する。
【００５６】
図１２において、骨部１１０４が軸骨部１１０６と側壁骨部１１０７と下部骨部１１０８とを備えているのは第１実施形態の場合と基本的に同じである。ただし回動したときに上部三角枠１１０１の内側に接しないように、側壁骨部１１０７の下部側を接近させ、その分、下部骨部１１０８の長さを小さくしている。本実施形態においても，第１実施形態と同様のやり方で、折畳式収納箱の高さおよび三角形の形状に基づき側壁骨部１１０７の長さを適宜設定できる。下部骨部１１０８には１つの湾曲部１１０９が形成されている。下部骨部１１０８は矢印方向に移動可能である。
【００５７】
本実施形態の場合は強固な支柱構成、すなわち側壁骨部１１０７が上部三角枠１１０１に対して垂直な構成は取れないが、部屋のコーナーに置けるなど意匠的な利点がある。
【００５８】
［第４実施形態］
次に本考案の第４実施形態に係る折畳式収納箱について、図１３を用いて説明する。本実施形態に係る折畳式収納箱は、上記第１実施形態と比べると、形状保持体の形を六角柱にした点で異なる。その他の構成及び動作は、第１実施形態と同様であるため、同じ構成及び動作については同じ符号を付してその詳しい説明を省略する。
【００５９】
図１３は本実施形態の形状保持体を説明する図である。図１３において、形状保持体１３００の上部六角形枠１３０１の向かい合う２つの直線枠１３０２、１３０３にはそれぞれ骨部１３０４、１３０５が回動可能に装着されている。骨部１３０４、１３０５の構成は第１実施形態の骨部２０４と基本的に同じである。点線で示した部分が本実施形態の折畳式収納箱の外形である。
【００６０】
必要に応じて上部六角形枠のほかの直線枠に骨部１３０４と同構造の骨部を設置してもよい。そうすることで上下方向の強度を増すことができる。第１実施形態と同様のやり方で、折畳式収納箱の高さおよび六角形の形状に基づき側壁骨部の長さを適宜設定できる。
【００６１】
［第５実施形態］
次に本考案の第５実施形態に係る折畳式収納箱について、図１４を用いて説明する。本実施形態に係る折畳式収納箱は、上記第１実施形態と比べると、上面を傾斜させた点で異なる。その他の構成及び動作は、第１実施形態と同様であるため、同じ構成及び動作については同じ符号を付してその詳しい説明を省略する。
【００６２】
図１４において、形状保持体１４００の上部矩形枠１４０１は正面側に傾斜している。傾斜した２つの直線枠１４０２、１４０３には骨部１４０４、１４０５が回動可能に装着されている。点線で示した部分が本実施形態の折畳式収納箱の外形であり、上面の中央部には上面カバーの中央部に丸い穴１４０６が示してある。本実施形態の折畳式収納箱は折畳式ゴミ箱として使用できる。
【００６３】
骨部１４０４、１４０５は、回動したときに上部矩形枠１４０１および側壁カバーの内側に接しないように形成されている。また、第１実施形態と同様のやり方で、折畳式収納箱の高さおよび傾斜形状に基づき骨部１４０４、１４０５の形状を適宜設定できる。
【００６４】
［第６実施形態］
次に本考案の第６実施形態に係る折畳式収納箱について、図１５を用いて説明する。本実施形態に係る折畳式収納箱は、上記第１実施形態と比べると、形状保持体の形を円柱にした点で異なる。その他の構成及び動作は、第１実施形態と同様であるため、同じ構成及び動作については同じ符号を付してその詳しい説明を省略する。
【００６５】
図１５において、形状保持体１５００の上部円形枠１５０１には骨部１５０２、１５０３が回動可能に装着されている。点線で示した部分が本実施形態の折畳式収納箱の外形である。
【００６６】
上部円形枠１５０１に固定される２つの金属製パイプは同軸上に配置さている。また、回動して骨部１５０２、１５０３を折り畳んだ場合に、骨部１５０２、１５０３が上部円形枠１５０１および側壁カバーの内側に接しない大きさに骨部１５０２、１５０３が形成されている。また、第１実施形態と同様のやり方で、折畳式収納箱の高さおよび円形枠の大きさに基づき骨部１５０２、１５０３の形状を適宜設定できる。
【００６７】
上記実施形態ではいずれも上面カバーを設けていたが上面カバーがない折畳式収納箱としてもよい。上面カバーはなくても折畳式収納箱として機能できる。
【００６８】
以上、実施形態を参照して本考案を説明した。本考案は上記実施形態に限定されるものではない。本考案の構成や詳細には、本考案のスコープ内で当業者が理解し得る様々な変更をすることができる。
【図１】
0003199014.tif 000003
【図２】
0003199014.tif 000004
【図３】
0003199014.tif 000005
【図４】
0003199014.tif 000006
【図５】
0003199014.tif 000007
【図６】
0003199014.tif 000008
【図７】
0003199014.tif 000009
【図８】
0003199014.tif 000010
【図９】
0003199014.tif 000011
【図１０】
0003199014.tif 000012
【図１１】
0003199014.tif 000013
【図１２】
0003199014.tif 000014
【図１３】
0003199014.tif 000015
【図１４】
0003199014.tif 000016
【図１５】
0003199014.tif 000017